(57)【要約】      （修正有）【目的】ベルトクリップに備えるマグネットを別に用意している軽い巻尺の保持に適合する仕様のマグネットに簡単に交換できて、使用者の腰ベルトに装着するベルトクリップの重量的な違和感を低減できる巻尺用ベルトクリップを提供する。【解決手段】前面に、巻尺１３に設けられる磁気吸着可能な部材１４ａと磁着できる外部に臨む面が平坦なマグネット９を設けてなるクリップ本体１と、このクリップ本体１の上部から後方に垂下して前記クリップ本体１の背面との間にベルト１２が挿通することのできる空間５を形成するクリップ片２とから構成し、これらクリップ本体１とクリップ片２のうち少なくともいずれか一方は弾性を有していて下部間が外力によって離間可能であり、かつ弾性復元力によって初期位置に復帰でき、また、前記マグネット９を必要に応じて容易に着脱、交換できるようにした。【選択図】図４
0003143025.tif 000002
【実用新案登録請求の範囲】
【請求項１】
前面に、巻尺に設けられる磁気吸着可能な部材と磁着できる外部に臨む面が平坦なマグネットを設けてなるクリップ本体と、このクリップ本体の上部から後方に垂下して前記クリップ本体の背面との間にベルトが挿通することのできる空間を形成するクリップ片とから構成し、これらクリップ本体とクリップ片のうち少なくともいずれか一方は弾性を有していて下部間が外力によって離間可能であり、かつ弾性復元力によって初期位置に復帰でき、また、前記マグネットを必要に応じて容易に着脱、交換できるように構成してなる巻尺用ベルトクリップ。
【請求項２】
前記マグネットがベース材に固定され、このベース材をクリップ本体の背面に固定手段で取り付けていて、かつベース材におけるマグネットを、マグネットの形状および配設位置に対応するようクリップ本体に形成した開口または切り欠きからこのクリップ本体の前面に臨ませていて、前記マグネットはこのベース材ごと交換できるように構成してなる請求項１に記載の巻尺用ベルトクリップ。
【請求項３】
前記マグネットがベース材に固定され、このベース材をクリップ本体の前面に固定手段で取り付けていて、前記マグネットはこのベース材ごと交換できるように構成してなる請求項１に記載の巻尺用ベルトクリップ。
【請求項４】
前記マグネットの周囲に、このマグネットと前記磁気吸着可能な部材と磁着させた際に磁気吸着可能な部材の外周を囲む枠体を設けて構成してなる請求項１乃至３に記載の巻尺用ベルトクリップ。
【請求項５】
前記枠体の少なくとも内壁を外側に広がるテーパー面で構成してなる請求項４に記載の巻尺用ベルトクリップ。
【請求項６】
前記クリップ本体とクリップ片におけるそれぞれの対向面に、前記空間を確保できるように前記クリップ本体とクリップ片それぞれの左右幅方向に亘る突起を配設し、これら突起はクリップ本体側の突起とクリップ片側の突起のうちいずれか一方のものが、他方のものの上方に位置し、少なくとも互いの先端寄りが重なり合うよう上下段違いに設けて構成してなる請求項１に記載の巻尺用ベルトクリップ。
【考案の詳細な説明】
【技術分野】
【０００１】
本考案は、巻尺を腰ベルトに着けて携帯するための巻尺用ベルトクリップに関する。
【背景技術】
【０００２】
従来、使用者の腰ベルトに着けて携帯するマグネットを利用した巻尺用ベルトクリップには、例えば特許文献１に示されるようなものがある。
【０００３】
このような巻尺用ベルトクリップは、巻尺に設けられる磁気吸着可能な部材を磁着するためのクリップ本体に備えるマグネットは固定的に設けられていて、通常では取り外すことができないようになっている。
【０００４】
またマグネットは、測定テープが長くかつ幅広のテープを備える重い巻尺の保持を安全にできるように重い巻尺に適合する仕様のしっかりとした重いマグネットを取り付けており、したがって軽い巻尺を使用する場合にはマグネットが過剰な仕様になっているのでベルトクリップが重く、ベルトクリップの装着に重量的な違和感があった。
【０００５】
そして、ベルトクリップに巻尺を保持している状態では巻尺の重さも加わり重量的な違和感がさらに大なるものになっていた。
【０００６】
【特許文献１】特開２００６−９０７２９号公報（第１〜６頁、図１〜５）
【考案の開示】
【考案が解決しようとする課題】
【０００７】
本考案は、ベルトクリップに備えるマグネットを別に用意している軽い巻尺の保持に適合する仕様のマグネットに簡単に交換できるようにして、使用者の腰ベルトに装着するベルトクリップの重量的な違和感を低減できる巻尺用ベルトクリップを提供できるようにした。
【課題を解決するための手段】
【０００８】
上述した課題を解決するために、本考案に係る巻尺用ベルトクリップは、前面に、巻尺に設けられる磁気吸着可能な部材と磁着できる外部に臨む面が平坦なマグネットを設けてなるクリップ本体と、このクリップ本体の上部から後方に垂下して前記クリップ本体の背面との間にベルトが挿通することのできる空間を形成するクリップ片とから構成し、これらクリップ本体とクリップ片のうち少なくともいずれか一方は弾性を有していて下部間が外力によって離間可能であり、かつ弾性復元力によって初期位置に復帰でき、また、前記マグネットを必要に応じて容易に着脱、交換できるように構成したものとしてある。
【０００９】
また前記マグネットがベース材に固定され、このベース材をクリップ本体の背面に固定手段で取り付けていて、かつベース材におけるマグネットを、マグネットの形状および配設位置に対応するようクリップ本体に形成した開口もしくは切り欠きからこのクリップ本体の前面に臨ませていて、前記マグネットはこのベース材ごと交換できるように構成したものとしてある。
【００１０】
また前記マグネットがベース材に固定され、このベース材をクリップ本体の前面に固定手段で取り付けていて、前記マグネットはこのベース材ごと交換できるように構成したものとしてある。
【００１１】
また前記マグネットの周囲に、このマグネットと前記磁気吸着可能な部材と磁着させた際に磁気吸着可能な部材の外周を囲む枠体を設けて構成したものとしてある。
【００１２】
また前記枠体の少なくとも内壁を外側に広がるテーパー面で構成したものとしてある。
【００１３】
さらに前記クリップ本体とクリップ片におけるそれぞれの対向面に、前記空間を確保できるように前記クリップ本体とクリップ片それぞれの左右幅方向に亘る突起を配設し、これら突起はクリップ本体側の突起とクリップ片側の突起のうちいずれか一方のものが、他方のものの上方に位置し、少なくとも互いの先端寄りが重なり合うよう上下段違いに設けて構成したものとしてある。
【考案の効果】
【００１４】
本考案の巻尺用ベルトクリップによれば、ベルトクリップに備えるマグネットを別に用意している軽い巻尺の保持に適合する仕様のマグネットに簡単に交換できるので、ベルトクリップの重さが低減されベルトクリップの重量的な違和感を低減できる。
【００１５】
また、マグネットを交換する際もマグネットを取り付けているベース材ごと交換できるので、マグネットを容易に交換することができる。
【考案を実施するための最良の形態】
【００１６】
本考案に係る巻尺用ベルトクリップは、図１に示すように、クリップ本体１の前面に巻尺１３の磁気吸着部１４（図４参照）に設けられた、例えば鉄製の磁気吸着材１４ａと磁着してこの巻尺を保持するためのマグネット９を備え、またクリップ本体１の背面に使用者の腰ベルト１２（図３参照）に係着するためのクリップ片２を備えている。
【００１７】
このクリップ片２は、上方部分がクリップ本体１における背面側の上端部に接続され、またクリップ本体１とクリップ片２のうち少なくともいずれか一方は弾性を有していて、クリップ本体１とクリップ片２の下部間が外力によって離間可能であり、かつ弾性復元力によって初期位置に復帰できるようにしてある。
【００１８】
そして、本考案に係る巻尺用ベルトクリップは、腰ベルト１２に係着するクリップ片２を設けたクリップ本体１と、巻尺１３の磁気吸着部１４（図４参照）に設けられる磁気吸着材（図示省略）と磁着する図２中の（ａ）図に示したマグネット９を設けたベース材たるマグネットベース６をそれぞれ別体で用意していて、このマグネットベース６をクリップ本体１に固定するようにしている。
【００１９】
クリップ本体１とマグネットベース６の固定は、マグネットベース６を、クリップ本体１のクリップ片２との間に設けたベルト係着用の空間５から挿入してマグネットベース６のマグネット９をクリップ本体１に形成した開口からクリップ本体１の前面に臨ませてセットし、次いで固定手段たる雄ねじ７をクリップ本体１の前面からマグネットベース６に設けている雌ねじ１１に螺挿し固定している。
【００２０】
またマグネットベース６は、図２中の（ｂ）図に示すように、マグネットベース６の凹所６ａにマグネット９を嵌め、凹所６ａ内底とマグネット９を接着剤もしくは両面テープ（図示省略）等の手段によって固定している。
【００２１】
そして、クリップ本体１の前面には、このクリップ本体１の前面に臨むマグネット９の周囲を取り囲むように枠体８を設けて、巻尺１３の磁気吸着部１４に設けられる磁気吸着材１４ａとマグネット９を磁着させた際に、磁気吸着材１４ａがその磁着方向と直交する方向へずれないよう磁気吸着材１４ａの上下左右の動きを規制している。
【００２２】
また、前記マグネットの周囲に設けた枠体の少なくとも内壁を外側に広がるテーパー面で構成し、巻尺１３の磁気吸着部１４をマグネット９に磁着させる際にこの巻尺１３の磁気吸着部１４を枠体８の外方開口に嵌め易いようにしていて、かつこの嵌めた巻尺１３の磁気吸着部１４を、この磁気吸着部１４の径と略同じ径にしている枠体８の内方開口に臨むマグネット９に整合案内できるようにしてある。
【００２３】
かくすることにより、枠体８は単に磁気吸着材１４ａのずれを防止するに止まらず、マグネット９に巻尺１３の磁気吸着部１４に設けられる磁気吸着材１４ａを容易かつ安定的に磁着できるようにしている。
【００２４】
また、本実施例では枠体８を連続する環状に構成しているが、枠体８の所々に切り欠きやスリットを設けて枠体８を不連続に構成する場合もある。
【００２５】
また、クリップ本体１とクリップ片２におけるそれぞれの対向面に、互いが重なり合うようにして上下段違いに突起３、４を設けている。
【００２６】
これらの突起３、４は、図５に示すように、巻尺１３を矢印（図５参照）の方向に引っ張ってクリップから取り外す際、クリップ本体１とクリップ片２との下部間が開いてクリップ片２の突起４の先端から腰ベルト１２がはみ出してしまった場合でも、この腰ベルト１２の下部がクリップ本体１の突起３に引っ掛かり、腰ベルト１２から抜け出るのを抑止できるようにしている。
【００２７】
なお、本実施例では、突起３、４をクリップ本体１、クリップ片２それぞれの左右幅いっぱいに設けているが、左右幅より短く形成する場合もあるし、不連続に形成する場合もある。
【００２８】
さらに、マグネットベース６は、図６に示すように、クリップ本体１の前面に固定する場合もあり、この場合、枠体８はマグネットベース６に直接設け、マグネット９の周囲にこのマグネット９の前面よりも突出させて形成する。
【００２９】
また、図８中の（ａ）図に示すように、クリップ本体１とクリップ片２にそれぞれ設けた突起３、４の対向する面を傾斜面にして、図８中の（ｂ）図に示すように、ベルトクリップのクリップ本体１とクリップ片２との間に形成される空間５に腰ベルト１２を挿通する際、挿通をより容易にできるようにする場合もある。
【００３０】
そして、クリップ本体１の下方にこのクリップ本体１表裏に貫通する孔１０を設ける場合もあって、同孔１０を利用して巻尺１３本体に繋がったフックや索条体を固定でき、巻尺１３がクリップから脱落したり、巻尺の使用時に手から落としてしまった場合でも、この巻尺１３とベルトクリップの間に架設する索条体によって巻尺１３の完全落下を阻止できる。
【図面の簡単な説明】
【００３１】
【図１】本考案に係る巻尺用ベルトクリップを示す斜視図。
【図２】マグネットベースの一例を示す図。
【図３】腰ベルトに係着したベルトクリップを示す斜視図。
【図４】使用状態のベルトクリップを示す一部断面図。
【図５】使用状態のベルトクリップを示す側面図。
【図６】本考案に係る他形態の巻尺用ベルトクリップを示す斜視図。
【図７】図６に示した巻尺用ベルトクリップの使用状態における一部断面図。
【図８】ベルトクリップの側面図。
【符号の説明】
【００３２】
１  クリップ本体
２  クリップ片
３  突起
４  突起
５  空間
６  マグネットベース
６ａ  凹所
７  雄ねじ
８  枠体
９  マグネット
１０  孔
１１  雌ねじ
１２  腰ベルト
１３  巻尺
１４  磁気吸着部
１４ａ  磁気吸着材
【図１】
0003143025.tif 000003
【図２】
0003143025.tif 000004
【図３】
0003143025.tif 000005
【図４】
0003143025.tif 000006
【図５】
0003143025.tif 000007
【図６】
0003143025.tif 000008
【図７】
0003143025.tif 000009
【図８】
0003143025.tif 000010